(57)【要約】【課題】 構造が簡単で、消費電力も少なく、画面内での輝度ばらつきがほとんど無い平板型画像表示装置を得るものである。【解決手段】  この発明に係る平板型画像表示装置は、ガラスの内面上に赤、緑、青の各蛍光体３からなる蛍光面４が形成された前面パネル１と背面パネル２とで構成された真空外囲器内に、電子の通過乃至遮断を制御する制御電極部６と、炭素系繊維及び／又は炭素系微粒子を材料とし、平面状の電極の表面に陰極８を構成する平面電子源９とを設けたものである。【選択図】  図２
2005044721.tif 000002
【特許請求の範囲】
【請求項１】
ガラスの内面上に赤、緑、青の各蛍光体からなる蛍光面が形成された前面パネルと、上記赤、緑、青の各蛍光体にそれぞれ対応する位置に電子が通過する孔をあわせる配置で、上記蛍光面に対向して平行に設けられた電子の通過乃至遮断を制御する制御電極部と、上記制御電極部を挟んで、上記蛍光面と反対側に位置する、炭素系繊維及び／又は炭素系微粒子を材料とし、平面状の電極の表面に陰極を構成する平面電子源と、上記前面パネルとともに上記制御電極部乃至上記平面電子源を内包し真空外囲器を構成する背面パネルとを備えたことを特徴とする平板型画像表示装置。
【請求項２】
平面電子源が電気的に分割された２以上の領域で構成されたことを特徴とする、請求項１記載の平板型画像表示装置。
【請求項３】
平面電子源と制御電極部との間に、上記平面電子源を覆う形で、平面状の電極に電子が通過する孔を多数設けた平面有孔カバー電極を備えたことを特徴とする請求項１記載又は請求項２記載の平板型画像表示装置。
【請求項４】
平面有孔カバー電極が電気的に分割された２以上の領域で構成されたことを特徴とする、請求項３記載の平板型画像表示装置。
【請求項５】
平面電子源の周囲に壁状の電極を設けたことを特徴とする請求項１〜請求項４のいずれかに記載の平板型画像表示装置。
【発明の詳細な説明】
【技術分野】
【０００１】
この発明は、炭素系繊維及び／又は炭素系微粒子を陰極材料とした平板型画像表示装置に関わるものである。
【背景技術】
【０００２】
従来の平板型画像表示装置における平面型電子放出装置は、平面状の電極の面上に平行に配置された複数の線状カソードと、放出電子の通過量を制御するグリッド電極と、上記複数の線状カソードを覆う突状電極に電子が通過する孔を設けた有孔カバー電極とで構成されている。（例えば、特許文献１参照。）
【０００３】
【特許文献１】特開昭６３−１８４２３９号公報
【発明の開示】
【発明が解決しようとする課題】
【０００４】
従来の平板型画像表示装置における平面型電子放出装置では、熱陰極である線状カソードで電子放出源が構成されている。その為、電圧を印加すると同時に電子を放出することができず、電子を放出するまでに数秒程度とかなりの時間を要する。また、陰極自体が発する熱の輻射により、他の電極も熱を持つため、これらの電極が熱的安定状態になるためには、さらに数十分という時間を要する。そこで、電子を安定して放出する状態を保つためには、常に電流を流す必要があり、消費電力が大きくなるという欠点があった。
【０００５】
また、上記平面型電子放出装置では、複数の線状カソードとグリッド電極との間に複数の線状カソードをそれぞれ覆う突状電極に電子の通過する孔を設けた有孔カバー電極を設けることにより、上記平面型電子放出装置全面に亘って均一な放出電子量の分布を得ようとしているが、構造が複雑になるわりには、電子放出源自体が線状構造をしているため、放出電子量は線を中心とした分布になり、放出電子量の分布に偏りがあった。その結果、面内での放出電子量の分布は完全な均一にはならず、上記平面型電子放出装置の画面内での輝度ばらつきが発生するという欠点もあった。
【０００６】
また、上記平面型電子放出装置では、上記平面型電子放出装置全面に亘る放出電子量の分布をより均一にするための方法として、線状カソード自体の数を増やすこともできるが、増やす数に限界があり、加えて製造が難しくなるばかりか、消費電力も大きくなるという欠点もあった。
【０００７】
また、上記平面型電子放出装置では、上記平面型電子放出装置全面に亘る放出電子量の分布は、線状カソードの存在しない上記平面型電子放出装置の周囲では、分布密度が疎になり、画面周囲での輝度の低下につながるという問題点もあった。
【０００８】
この発明は、上述のような課題を解決するためになされたもので、構造が簡単で、消費電力が少なく、画面内での輝度ばらつきもほとんど無い平板型画像表示装置を得るものである。
【課題を解決するための手段】
【０００９】
この発明に係る平板型画像表示装置においては、ガラスの内面上に赤、緑、青の各蛍光体からなる蛍光面が形成された前面パネルと、背面パネルとで構成された真空外囲器内に、電子の通過乃至遮断を制御する制御電極部と、炭素系繊維及び／又は炭素系微粒子を材料とし、平面状の電極の表面に陰極を構成する平面電子源とを設けたものである。
【発明を実施するための最良の形態】
【００１０】
実施の形態１．
図１はこの発明の実施の形態１における平板型画像表示装置を示す外形図である。図１において、前面パネル１と背面パネル２により真空外囲器が構成され、上記平板型画像表示装置内が真空に保たれている。
【００１１】
図２はこの発明の実施の形態１における平板型画像表示装置を図１の破線で示す走査方向である水平方向で切断した断面の一部分を示す図である。図２において、上記前面パネル１のガラスの内面上には、赤、緑、青の各蛍光体３からなる蛍光面４に導電性をもたせるためのアルミニウム膜５が表面に蒸着又は塗布された形で形成されている。上記蛍光面４に対向して平行に、制御電極部６が設置されている。上記制御電極部６を挟んで、上記蛍光面４と反対側には、平面状の電極である平面電極７の表面に、炭素系繊維及び／又は炭素系微粒子を材料とし、CVD法、又はペースト状に加工し塗布する方法等で陰極８が形成された平面電子源９が設けられている。
この場合、上記陰極８を形成する方法としては、アーク法も考えられるが、アーク法では、平面電極７の表面にすすの塊ができる為、上記陰極８を形成する方法としては適当でない。
【００１２】
ここで、上記陰極８は、上記平面電極７の表面のほぼ全面にべたぬりで１つ形成されても良い。また、スリット等により分割された２以上に領域で形成されても良い。
また、上記アルミニウム膜５の代わりに他の導電性を持った材料を使用して膜を形成しても良いが、反射率と価格の面から材料としてはアルミニウムが最適である。
また、炭素系繊維及び／又は炭素系微粒子を材料とし、上記陰極８を形成する方法として、ここでは、CVD法、又はペースト状に加工し塗布する方法等を挙げているが、他の方法を用いても良いことは言うまでもない。
【００１３】
次に、上記制御電極部６の構造を図で詳しく説明する。図３は、上記制御電極部６の構造を詳しく示す構造図である。図３において、走査方向の短冊状Y電極１０の集合体であるY制御電極群１１が上記平面電子源９と対向する位置に設けられている。絶縁基板１２を挟んで上記Y制御電極群１１と反対側には、上記短冊状Y電極１０に直交するように配置された短冊状X電極１３の集合体であるX制御電極群１４が設けられている。上記短冊状Y電極１０、上記短冊状X電極１３、及び、上記絶縁基板１２には、それぞれ電子の通過する孔である電子Y通過部１５、電子X通過部１６、及び、電子通過孔１７が設けられ、上記赤、緑、青の各蛍光体３、上記電子Y通過部１５、上記電子X通過部１６、及び、上記電子通過孔１７のそれぞれの位置が一致するように構成されている。
【００１４】
このように構成された平板型画像表示装置においては、上記平面電子源９の電位Ｖ１に対して上記短冊状Ｙ電極１０の電位Ｖ２をＶ１＜Ｖ２となるような関係で設定することにより、例えば、Ｖ１＝０Ｖ、Ｖ２＝１００Ｖに設定することで、電圧を印加するのとほぼ同時に、上記平面電子源９から電子が放出され、上記短冊状Ｙ電極１０との間で均一に分布する。さらに、上記短冊状Ｘ電極１３の電位Ｖ３をＶ２＜Ｖ３の関係で設定することにより、例えば、Ｖ３＝１５０Ｖに設定することで、電子は、上記電子Y通過部１５、上記電子通過孔１７、及び、上記電子X通過部１６を通過する。このとき、上記蛍光面４を覆う上記アルミニウム膜５の電位Ｖ４をＶ３＜Ｖ４となるような関係で設定することで、例えば、Ｖ４＝２〜３ＫＶに設定することで、上記電子Y通過部１５、上記電子X通過部１６、及び、上記電子通過孔１７を通過した電子は加速されて上記赤、緑、青の各蛍光体３に衝突し発光する。
【００１５】
したがって、上記平面電子源９のほぼ全面、すなわち上記平板型画像表示装置の画面全体に相当する部分で均一な放出電子量の分布を得ることができ、画面内での輝度ばらつきをほぼなくすことができる。
【００１６】
一方、Ｖ１、Ｖ２の関係をＶ１≧Ｖ２に設定することにより、例えば、Ｖ１＝１００Ｖ、Ｖ２＝１００Ｖに設定することで、電圧を印加するのとほぼ同時に、平面電子源から電子が放出されない状態に設定でき、本来、映像信号の無い部分、いわゆる帰線期間といわれている部分では、電子を放出しないことで、消費電力が少ない平板型画像表示装置を得ることができる。
また、Ｖ２≧Ｖ３に設定した場合でも、同様に電子が放出されない状態に設定でき、消費電力が少ない平板型画像表示装置を得ることができる。
【００１７】
さらに、上記制御電極部６において、上記短冊状Y電極１０と上記短冊状X電極１３の配置を入れ替え、すなわち、上記平面電子源９と対向する位置に上記短冊状X電極１３を設け、上記絶縁基板１２を挟んで上記短冊状Y電極１０を設けた構造にした場合でも、上記短冊状Ｙ電極１０の電位Ｖ２を上記短冊状Ｘ電極１３の電位Ｖ３に、上記短冊状Ｘ電極１３の電位Ｖ３を上記短冊状Ｙ電極１０の電位Ｖ２に置きかえることで、以上説明したのと同様な平板型画像表示装置が得られる。
【００１８】
ここで、上記Ｖ１、Ｖ２、Ｖ３、及び、Ｖ４の電位を具体的な電圧を示す数字で例示したが、この数字は、各電極の材質、各電極間の距離等で変わることは言うまでもない。また、以下の実施の形態で示す具体的な電圧を示す数字についても同様である。
【００１９】
実施の形態２．
なお、上記実施の形態１では、平面電子源９と短冊状Y電極１０との間に電位差を設けることにより電子を取り出し、上記平面電子源９と上記短冊状Y電極１０の間で均一な放出電子量の分布が得られるように構成していたが、図４に示すように、上記平面電子源９と、上記Y制御電極群１１、絶縁基板１２、及び、X制御電極群１４で構成された制御電極部６との間に新たに上記平面電子源９を覆う形で、平面状の電極に電子が通過する孔を多数設けた平面有孔カバー電極１８を設けている。上記平面有孔カバー電極１８の孔の大きさについては、電子が十分通過できれば良く、上記制御電極部６に設けられた電子が通過する孔と一致させる必要はない。また、上記平面有孔カバー電極１８の孔の位置と間隔についても、上記制御電極部６に設けられた電子が通過する孔と一致させる必要はない。その他の構成については、実施の形態１と同様であるため、ここでは説明を省略する。このように構成された平板型画像表示装置では、より低い電圧で効率良く電子を取り出すことができる。
【００２０】
また、上記平面有孔カバー電極１８は、上記制御電極部６に比べ、構造が単純であるため、図５で示すように、上記平面電子源９との間に、これらを電気的に絶縁する為の非常に細かい絶縁スペーサー１９を設けることが簡単にできる。ここで、上記絶縁スペーサー１９同士の間隔は、上記平面有孔カバー電極１８を保持し、絶縁が十分保たれる間隔であれば良い。その為、上記平面有孔カバー電極１８を上記平面電子源９に非常に近い位置に設けることができる。その結果、さらに低い電圧で効率良く電子を取り出すこともできる。
加えて、実施の形態１と同様な効果も得られることは言うまでもない。
【００２１】
このように構成された実施の形態２においては、上記平面電子源９の電位Ｖ１に対して上記平面有孔カバー電極１８の電位Ｖ５、上記短冊状Ｙ電極１０の電位Ｖ２をＶ１＜Ｖ５＜Ｖ２となるような関係で設定することにより、例えば、Ｖ１＝０Ｖ、Ｖ５＝５０Ｖ、Ｖ２＝１００Ｖに設定することで、電圧を印加するのとほぼ同時に、上記平面電子源９から電子が放出され、上位平面有孔カバー電極１８と上記短冊状Ｙ電極１０の間で均一に分布する。その他の動作については、実施の形態１と同様であるため、ここでは説明を省略する。
【００２２】
また、Ｖ１、Ｖ５の関係をＶ１≧Ｖ５に設定することにより、例えば、Ｖ１＝５０Ｖ、Ｖ２＝５０Ｖに設定することで、電圧を印加するのとほぼ同時に、平面電子源から電子が放出されない状態に設定でき、本来、映像信号の無い部分、いわゆる帰線期間といわれている部分では、電子を放出しないことで、消費電力が少ない平板型画像表示装置を得ることができる。
さらに、Ｖ５≧Ｖ３に設定した場合でも、同様に電子が放出されない状態に設定でき、消費電力が少ない平板型画像表示装置を得ることができる。
加えて、実施の形態１で示した電子が放出されない状態の設定は、実施の形態２においても適用できることは言うまでもない。
【００２３】
さらに、実施の形態１と同様に、上記制御電極部６において、上記短冊状Y電極１０と上記短冊状X電極１３の配置を入れ替え、すなわち、上記平面電子源９と対向する位置に上記短冊状X電極１３を設け、上記絶縁基板１２を挟んで上記短冊状Y電極１０を設けた構造にした場合でも、上記短冊状Ｙ電極１０の電位Ｖ２を上記短冊状Ｘ電極１３の電位Ｖ３に、上記短冊状Ｘ電極１３の電位Ｖ３を上記短冊状Ｙ電極１０の電位Ｖ２に置きかえることで、以上説明したのと同様な平板型画像表示装置が得られる。
【００２４】
実施の形態３．
図６は実施の形態２で示す平板型画像表示装置において、平面電子源９を画面の上半分の領域に対応する上電子源２０と、下半分の領域に対応する下電子源２１とで、２つの領域に対応して電気的に分割した場合の上記上電子源２０と、上記下電子源２１と、平面有孔カバー電極１８との構成を表したものである。その他の構成については、実施の形態２と同様であるため、ここでは省略する。
図６の実施の形態によれば、上記上電子源２０と、上記下電子源２１とに印加する電圧をそれぞれ制御することにより、画面の上半分の領域と、下半分の領域とで電子の放出を独立して制御できるため、画面の上半分の領域を表示する場合には、下半分の領域での電子の放出を停止し、画面の下半分の領域を表示する場合には、上半分の領域での電子の放出を停止することで、表示部分に合わせる形で電子放出量が制御でき、更に消費電力を抑えた平板型画像表示装置を得ることができる。
【００２５】
図７は、上記平板型画像表示装置において、画面の上半分の領域、又は画面の下半分の領域を表示する場合の１例を画面の垂直方向の１走査期間について、平面有孔カバー電極１８の電位Ｖ５、上記上電子源２０の電位Ｖ６、及び、上記下電子源２１の電位Ｖ７として、それぞれの関係をＶ５、Ｖ６、及び、Ｖ７に具体的な数字を当てはめた形で示した図である。
【００２６】
図７において、上記平面有孔カバー電極１８の電位Ｖ５に対して、上記上電子源２０の電位Ｖ６をＶ５＞Ｖ６となるような関係で設定した場合、例えば、Ｖ５＝５０Ｖ、Ｖ６＝０Ｖに設定した場合には電子が放出され、Ｖ５≦Ｖ６となるような関係で設定した場合、例えば、Ｖ５＝５０Ｖ、Ｖ６＝５０Ｖに設定した場合には電子が放出されない。同じく、上記下電子源２１の電位Ｖ７をＶ５＞Ｖ７となるような関係で設定した場合、例えば、Ｖ５＝５０Ｖ、Ｖ７＝０Ｖに設定した場合には電子が放出され、Ｖ５≦Ｖ７となるような関係で設定した場合、例えば、Ｖ５＝５０Ｖ、Ｖ７＝５０Ｖに設定した場合には電子が放出されない。すなわち、画面の上半分の領域を表示する場合には、Ｖ５＞Ｖ６かつＶ５≦Ｖ７となるような関係で設定した場合、例えば、Ｖ５＝５０Ｖ、Ｖ６＝０Ｖ、及び、Ｖ７＝５０Ｖに設定すれば良く、また、画面の下半分の領域を表示する場合には、Ｖ５≦Ｖ６かつＶ５＞Ｖ７となるような関係で設定した場合、例えば、Ｖ５＝５０Ｖ、Ｖ６＝５０Ｖ、及び、Ｖ７＝０Ｖに設定すれば良いことが言える。
【００２７】
また、ここでは、上記平面電子源９を画面の上半分の領域と下半分の領域との２つの領域で電気的に分割した場合について述べたが、左半分の領域と右半分の領域との２つの領域で電気的に分割することも可能である。
さらに、ここでは、電気的に分割する領域が２つの場合について述べたが、それ以上の領域に分割した場合についても、同様かそれ以上の効果が得られることは言うまでもない。
【００２８】
実施の形態４．
図８は実施の形態２で示す平板型画像表示装置において、平面有孔カバー電極１８を画面の上半分の領域に対応する上有孔カバー電極２２と、下半分の領域に対応する下有孔カバー電極２３とで、２つの領域に対応して電気的に分割した場合の平面電子源９と、上記上有孔カバー電極２２と、上記下有孔カバー電極２３との構成を表したものである。その他の構成については、実施の形態２と同様であるため、ここでは省略する。
図８の実施の形態によれば、上記上有孔カバー電極２２と、上記下有孔カバー電極２３とに印加する電圧を制御することにより、画面の上半分の領域と、下半分の領域とで電子の放出を独立して制御できるため、画面の上半分の領域を表示する場合には、下半分の領域での電子の放出を停止し、画面の下半分の領域を表示する場合には、上半分の領域での電子の放出を停止することで、表示部分に合わせる形で電子放出量が制御でき、更に消費電力を抑えた平板型画像表示装置を得ることができる。
【００２９】
図９は、上記平板型画像表示装置において、画面の上半分の領域、又は画面の下半分の領域を表示する場合の１例を画面の垂直方向の１走査期間について、上記平面電子源９の電位Ｖ１、上記上有孔カバー電極２２の電位Ｖ８、及び、上記下有孔カバー電極２３の電位Ｖ９として、それぞれの関係をＶ１、Ｖ８、及び、Ｖ９に具体的な数字を当てはめた形で示した図である。
【００３０】
図９において、上記平面電子源９の電位Ｖ１に対して、上記上有孔カバー電極２２の電位Ｖ８をＶ１＜Ｖ８となるような関係で設定した場合、例えば、Ｖ１＝０Ｖ、Ｖ８＝５０Ｖに設定した場合には電子が放出され、Ｖ１≧Ｖ８となるような関係で設定した場合、例えば、Ｖ１＝５０Ｖ、Ｖ８＝５０Ｖに設定した場合には電子が放出されない。同じく、上記下有孔カバー電極２３の電位Ｖ９をＶ１＜Ｖ９となるような関係で設定した場合、例えば、Ｖ１＝０Ｖ、Ｖ９＝５０Ｖに設定した場合には電子が放出され、Ｖ１≧Ｖ９となるような関係で設定した場合、例えば、Ｖ１＝５０Ｖ、Ｖ９＝５０Ｖに設定した場合には電子が放出されない。すなわち、画面の上半分の領域を表示する場合には、Ｖ１＜Ｖ８かつＶ１≧Ｖ９となるような関係で設定した場合、例えば、Ｖ１＝０Ｖ、Ｖ８＝５０Ｖ、及び、Ｖ９＝０Ｖに設定すれば良く、また、画面の下半分の領域を表示する場合には、Ｖ１≧Ｖ８かつＶ１＜Ｖ９となるような関係で設定した場合、例えば、Ｖ１＝０Ｖ、Ｖ８＝０Ｖ、及び、Ｖ９＝５０Ｖに設定すれば良いことが言える。
【００３１】
また、ここでは、上記平面有孔カバー電極１８を画面の上半分の領域と下半分の領域との２つの領域で電気的に分割した場合について述べたが、左半分の領域と右半分の領域との２つの領域で電気的に分割することも可能である。
さらに、ここでは、電気的に分割する領域が２つの場合について述べたが、それ以上の領域に分割した場合についても、同様かそれ以上の効果が得られることは言うまでもない。
【００３２】
実施の形態５．
図１０は実施の形態３と実施の形態４とを組み合わせたものを示すものである。図１０は、実施の形態２で示す平板型画像表示装置において、平面電子源９を画面の上半分の領域に対応する上電子源２０と、下半分の領域に対応する下電子源２１とで、２つの領域に対応して電気的に分割し、かつ、平面有孔カバー電極１８を画面の上半分の領域に対応する上有孔カバー電極２２と、下半分の領域に対応する下有孔カバー電極２３とで、２つの領域に対応して電気的に分割した場合の上記上電子源２０と、上記下電子源２１と、上記上有孔カバー電極２２と、上記下有孔カバー電極２３との構成を表したものである。その他の構成については、実施の形態２と同様であるため、ここでは省略する。このような構成にしても実施の形態３、及び、実施の形態４で示したのと同様な効果が得られる。
【００３３】
実施の形態６．
図１１は実施の形態２で示す平板型画像表示装置において、平面電子源９の周囲で上記平板型画像表示装置の画面の周囲に対応する部分に壁状の電極を設けた他の実施の形態を示すものである。
図１１において、壁状電極２４は、上記平面電子源９の周囲で上記平板型画像表示装置の画面の周囲に対応する部分で、上記平面電子源９の平面状の電極である平面電極７が設けられている位置と平面有孔カバー電極１８が設けられている位置の間に電気的に独立した状態で設けられている。その他の構成については、実施の形態２と同様であるため、ここでは省略する。
この図の実施の形態によれば、上記平面電極７の表面に炭素系繊維及び／又は炭素系微粒子を材料とし形成された陰極８が、上記平面電子源９の周囲では存在しないため、この部分、すなわち画面の周囲で放出電子量の分布が疎の部分が存在し、輝度の低下が起こる。
【００３４】
このように構成された平板型画像表示装置において、上記壁状電極２４の電位を上記平面有孔カバー電極１８の電位以下にすることで、上記平面電子源９  と、上記平面有孔カバー電極１８との間に静電レンズ２５を形成することができる。上記静電レンズ２５により、上記平面電子源９の周囲で上記平板型画像表示装置の画面の周囲に対応する部分で、上記平面電子源９の法線方向に対して斜めに放出された電子は、上記平板型画像表示装置の画面の周囲に相当する部分に押し戻され、画面の周囲で放出電子量の分布を密にすることができる。その結果、画面周囲での輝度の低下が抑えられる。
ここで、上記壁状電極２４を設けるかわりに、上記平面電子源９を構成する平面電極７で壁状構造を構築しても同様の効果が得られる。
また、上記壁状電極２４を設けるかわりに、上記平面電子源９そのもので壁状構造を構築しても同様の効果が得られる。
【産業上の利用可能性】
【００３５】
この発明は以上説明したように、平面電子源を炭素系繊維及び／又は炭素系微粒子を材料とし、平面状の電極の表面に陰極を構成するようにしたことで、構造が簡単で、消費電力も少なく、画面内輝度ばらつきのほぼ無い平板型画像表示装置を得ることができる。
【図面の簡単な説明】
【００３６】
【図１】この発明の実施の形態１を示す平板型画像表示装置の外形図である。
【図２】この発明の実施の形態１を示す平板型画像表示装置の断面図である。
【図３】この発明の実施の形態１を示す制御電極部の詳細構造図である。
【図４】この発明の実施の形態２を示す平板型画像表示装置の断面図である。
【図５】この発明の実施の形態２を示す平面有孔カバー電極の構造図の１例である。
【図６】この発明の実施の形態３を示す平面有孔カバー電極部と平面電子源部の構成図である。
【図７】この発明の実施の形態３を示す電子放出条件図である。
【図８】この発明の実施の形態４を示す平面有孔カバー電極部と平面電子源部の構成図である。
【図９】この発明の実施の形態４を示す電子放出条件図である。
【図１０】この発明の実施の形態５を示す平面有孔カバー電極部と平面電子源部の構成図である。
【図１１】この発明の実施の形態６を示す平面有孔カバー電極部と平面電子源部の構成図である。
【符号の説明】
【００３７】
１  全面パネル、２  背面パネル、３  赤、緑、青の各蛍光体、４  蛍光面、５  アルミニウム膜、６  制御電極部、７  平面電極、８  陰極、９  平面電子源、１０  短冊状Ｙ電極、１１  Ｙ制御電極群、１２  絶縁基板、１３  短冊状Ｘ電極、１４  Ｘ制御電極群、１５  電子Ｙ通過部、１６  電子Ｘ通過部、１７  電子通過孔、１８  平面有孔カバー電極、１９  絶縁スペーサー、２０  上電子源、２１  下電子源、２２  上有孔カバー電極、２３  下有孔カバー電極、２４  壁状電極、２５  静電レンズ
【図１】
2005044721.tif 000003
【図２】
2005044721.tif 000004
【図３】
2005044721.tif 000005
【図４】
2005044721.tif 000006
【図５】
2005044721.tif 000007
【図６】
2005044721.tif 000008
【図７】
2005044721.tif 000009
【図８】
2005044721.tif 000010
【図９】
2005044721.tif 000011
【図１０】
2005044721.tif 000012
【図１１】
2005044721.tif 000013